(57)【特許請求の範囲】
【請求項１】
各々音声通話、テレビ電話、国際電話、ブラウザ、およびストリーミングのうち、国際電話を必須に含む少なくとも１つのサービスを提供する複数のネットワークと、前記複数のネットワークとの通信に対応した移動通信端末とを含む移動通信システムであって、
前記移動通信端末は、
前記複数のネットワーク各々から報知された各ネットワークが提供可能な前記少なくとも１つのサービスをユーザによる選択肢として表示すると共に、表示したサービスに関するサービスの提供情報を表示する表示手段と、
前記表示手段によって表示される前記サービスの提供情報に基づくユーザによるサービスの選択指示を受け付けると共に、ユーザが選択指示したサービスを提供可能な前記複数のネットワークのいずれかを選択して前記移動通信端末と選択したネットワークとを接続する選択手段とを有し、
前記表示手段は、国際電話をユーザによる選択肢として表示する場合に、国際電話発信方法を示す情報を前記サービスの提供情報の少なくとも１つとして表示し、前記移動通信端末は、その情報を基に国際電話発信を行うことを特徴とする移動通信システム。
【請求項２】
前記サービスの提供情報は、前記複数のネットワーク各々から報知されたサービス可能エリアの情報を基に現在位置から規定移動距離内で実際にサービス可能かどうかを示す情報を含む請求項１に記載の移動通信システム。
【請求項３】
前記サービスの提供情報は、音声通話、テレビ電話、国際電話、ブラウザ、およびストリーミングのうち、国際電話を必須に含む少なくとも１つの機能を含む提供サービス種別毎の課金情報について現在時刻から所定時間内に課金される課金情報を含む請求項１または２に記載の移動通信システム。
【請求項４】
前記サービスの提供情報は、前記複数のネットワーク各々とそれに対応する無線接続技術の種別との組み合わせ情報を含み、
前記移動通信端末は、前記無線接続技術の種別を固定するモードと、前記無線接続技術の種別の変更を無線環境の変化に応じて許可するモードとの２つから１つを選択する請求項１乃至３のいずれか１つに記載の移動通信システム。
【請求項５】
前記サービスの提供情報は、前記複数のネットワーク各々とそれに対応する無線接続技術の種別との組み合わせに対して位置登録を予め試みた結果に基づく情報を含み、当該位置登録の可否と、位置登録不可の場合にはローミング契約なしおよび一時的なネットワーク制限を少なくとも含む位置登録不可の理由とを示す情報である請求項１乃至４のいずれか１つに記載の移動通信システム。
【請求項６】
前記表示手段は、前記複数のネットワーク各々とそれに対応する無線接続技術の種別との組み合わせに対して位置登録を予め試みた結果が当該位置登録可能な場合に、前記サービスの提供情報を表示する請求項１乃至５のいずれか１つに記載の移動通信システム。
【請求項７】
前記選択手段は、同時に複数のネットワークを選択する請求項１乃至６のいずれか１つに記載の移動通信システム。
【請求項８】
前記選択手段は、前記提供サービス種別毎に別々のネットワークを選択する請求項３乃至７のいずれか１つに記載の移動通信システム。
【請求項９】
前記選択手段は、前記提供サービス種別毎に別々のネットワークを選択した場合には、当該サービス各々の利用を開始する時に、そのサービス用に選択されたネットワークに対して位置登録およびサービス開始要求を行う請求項８に記載の移動通信システム。
【請求項１０】
前記選択手段は、予め設定されたスケジュールにしたがって前記複数のネットワークを切替えて選択する請求項１乃至９のいずれか１つに記載の移動通信システム。
【請求項１１】
前記サービスの提供情報は、天気予報、ニュース、およびファイルの少なくとも１つを含む提供サービスコンテンツのスケジュール情報を含む請求項１乃至１０のいずれか１つに記載の移動通信システム。
【請求項１２】
前記選択手段は、予め選択された複数のサービスをそれぞれのスケジュールにしたがって切替えて選択する請求項１乃至１１のいずれか１つに記載の移動通信システム。
【請求項１３】
前記サービスの提供情報は、前記提供サービス種別および前記提供サービスコンテンツを含み、
前記選択手段は、前記ユーザから指示された前記提供サービス種別および前記提供サービスコンテンツに基づいて前記ネットワークを選択し、さらに、選択されたネットワークが提供するサービスを該ネットワークへの位置登録を行った後に開始する請求項１１に記載の移動通信システム。
【請求項１４】
各々音声通話、テレビ電話、国際電話、ブラウザ、およびストリーミングのうち、国際電話を必須に含む少なくとも１つのサービスを提供する複数のネットワークと、前記複数のネットワークとの通信に対応した移動通信端末とを含む移動通信システムであって、
前記移動通信端末は、
前記複数のネットワーク各々から報知された各ネットワークが提供可能な前記少なくとも１つのサービスをユーザによる選択肢として表示すると共に、表示したサービスに関するサービスの提供情報を表示する表示手段と、
前記表示手段によって表示される前記サービスの提供情報に基づくユーザによるサービスの選択指示を受け付けると共に、ユーザが選択指示したサービスを提供可能な前記複数のネットワークのいずれかを選択して前記移動通信端末と選択したネットワークとを接続する選択手段と、
前記選択手段によって選択されたネットワークから前記サービスの提供情報をダウンロードするダウンロード手段とを有し、
前記表示手段は、国際電話をユーザによる選択肢として表示する場合に、国際電話発信方法を示す情報を前記サービスの提供情報の少なくとも１つとして表示し、前記移動通信端末は、その情報を基に国際電話発信を行うことを特徴とする移動通信システム。
【請求項１５】
前記サービスの提供情報は、音声通話、テレビ電話、国際電話、ブラウザ、およびストリーミングのうち、国際電話を必須に含む少なくとも１つの機能を含む提供サービス種別の情報である請求項１４に記載の移動通信システム。
【請求項１６】
前記表示手段は、前記提供サービス種別の情報の中で前記移動通信端末がサポートするサービス種別を表示する請求項１５に記載の移動通信システム。
【請求項１７】
前記サービスの提供情報は、サービス可能エリアの情報を含む請求項１４乃至１６のいずれか１つに記載の移動通信システム。
【請求項１８】
前記サービスの提供情報は、前記サービス可能エリアの情報を基に現在位置から規定移動距離内で実際にサービス可能かどうかを示す情報を含む請求項１７に記載の移動通信システム。
【請求項１９】
前記表示手段は、前記提供サービス種別毎の課金情報を表示する請求項１５乃至１８のいずれか１つに記載の移動通信システム。
【請求項２０】
前記表示手段は、前記提供サービス種別毎の課金情報において現在時刻から所定時間内に課金される課金情報を表示する請求項１９に記載の移動通信システム。
【請求項２１】
前記ダウンロード手段は、前記複数のネットワーク各々のサイトから提供される利用可能な無線接続技術の種別情報をダウンロードし、
前記表示手段は、前記無線接続技術の種別情報毎に前記サービスの提供情報を表示する請求項１４乃至２０のいずれか１つに記載の移動通信システム。
【請求項２２】
前記サービスの提供情報は、天気予報、ニュース、およびファイルの少なくとも１つを示す提供サービスコンテンツのスケジュール情報を含む請求項１４乃至２１のいずれか１つに記載の移動通信システム。
【請求項２３】
前記選択手段は、予め選択された複数のサービスをそれぞれのスケジュールにしたがって切替えて選択する請求項２２に記載の移動通信システム。
【請求項２４】
前記サービスの提供情報は、前記提供サービス種別および前記提供サービスコンテンツを含み、
前記選択手段は、前記ユーザから指示された前記提供サービス種別および前記提供サービスコンテンツに基づいて前記ネットワークを選択し、さらに、選択されたネットワークが提供するサービスを該ネットワークへの位置登録を行った後に開始する請求項２２に記載の移動通信システム。
【請求項２５】
請求項１乃至２４のいずれか１つに記載の移動通信システムを、前記複数のネットワークと共に構成する前記移動通信端末であることを特徴とする移動通信端末。
【発明の詳細な説明】
【技術分野】
【０００１】
本発明は、移動通信端末と、移動通信端末を有する移動通信システムに関し、特に、複数のネットワークとの通信に対応している移動通信端末におけるネットワークを選択する技術に関する。
【背景技術】
【０００２】
複数のネットワークとの通信に対応した移動通信端末のネットワーク選択については、３ＧＰＰ（３ｒｄ  Ｇｅｎｅｒａｔｉｏｎ  Ｐａｒｔｎｅｒｓｈｉｐ  Ｐｒｏｊｅｃｔ）における“Ｍａｎｕａｌ  ｎｅｔｗｏｒｋ  ｓｅｌｅｃｔｉｏｎ  ｍｏｄｅ”として規定されている。このことは、例えば、“Ｎｏｎ−Ａｃｃｅｓｓ−Ｓｔｒａｔｕｍ（ＮＡＳ）ｆｕｎｃｔｉｏｎｓ  ｒｅｌａｔｅｄ  ｔｏ  Ｍｏｂｉｌｅ  Ｓｔａｔｉｏｎ（ＭＳ）ｉｎ  ｉｄｌｅｍｏｄｅ”［３ＧＰＰ  ＴＳ２３．１２２  Ｖ７．５．０（２００６−０６）］に記載されている。この規定されたネットワーク選択は、次のような仕組みになっている。即ち、移動通信端末がサポートする全てのＲａｄｉｏ  Ａｃｃｅｓｓ  Ｔｅｃｈｎｏｌｏｇｙ［ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）等］がサーチされる。次に、検出された全てのネットワークがユーザに通知される。そして、ユーザが所望のネットワークを選択する。
関連技術の移動通信端末のネットワーク選択画面においては、第１図に一例として示すように、検出されたネットワークオペレータ名（ネットワークオペレータＡ，Ｂ，Ｃ，Ｄ等）と、その無線接続技術（ＲＡＴ：Ｒａｄｉｏ  Ａｃｃｅｓｓ  Ｔｅｃｈｎｏｌｏｇｙ）［ＧＳＭ、ＵＭＴＳ等］とが表示される。
尚、移動通信端末が複数のネットワークのうちのいずれかを検出して接続する技術は、例えば、特開２００２−２７１８６５号公報、特開２００５−２３６７６９号公報に記載されている。
上述した関連技術の移動通信端末のネットワーク選択画面においては、以下に示すように、（１）サービス種別、（２）サービスエリア、（３）電界情報、（４）課金情報、（５）国際電話発信、（６）無線接続技術、（７）位置登録、（８）複数選択、（９）コンテンツスケジュール、（１０）サービス開始操作の各点に関する問題点がある。
（１）サービス種別の問題点は、関連技術の移動通信端末のネットワーク選択画面において、各ネットワークの利用可能な提供サービス種別（音声通話、テレビ電話、国際電話、ブラウザ、ストリーミング等）を表示しないことである。このため、ユーザがネットワークを選択して実際に試してみないと、希望するサービスを利用可能かどうかを知ることができない。
（２）サービスエリアの問題点は、関連技術の移動通信端末のネットワーク選択画面において、各ネットワークのサービス可能エリアの情報を表示しないことである。このため、ユーザがあるネットワークを選択しても、わずかな移動によってサービス可能エリアを外れて、圏外となってしまう可能性がある。
（３）電界情報の問題点は、関連技術の移動通信端末のネットワーク選択画面において、各ネットワークの受信電界情報（無線通信の安定度）を表示しないことである。このため、ユーザがあるネットワークを選択しても、無線品質が悪くスムーズにサービスを利用することができなかったり、また圏外となってしまう可能性がある。
（４）課金情報の問題点は、関連技術の移動通信端末のネットワーク選択画面において、各ネットワークの提供サービス種別（音声通話、テレビ電話、国際電話、ブラウザ、ストリーミング等）毎の課金情報を表示しないことである。このため、ユーザがより低料金のサービスを選択して利用することができず、サービス利用料金を別途気にしなければならない。
（５）国際電話発信の問題点は、関連技術の移動通信端末のネットワーク選択画面において、各ネットワークの国際電話発信方法を表示しないことである。このため、ユーザが予め利用するネットワークの国際電話発信方法を調べておかなければならない。
（６）無線接続技術の問題点は、関連技術の移動通信端末のネットワーク選択画面において、ユーザがネットワークオペレータ名と合わせて無線接続技術の種別を選択した場合であっても、無線環境の変化によっては圏外となってしまったり、無線接続技術の種別が自動的に変更（３ＧＰＰのＣｅｌｌ  ｒｅｓｅｌｅｃｔｉｏｎ動作）されてしまうことである。
（７）位置登録の問題点は、関連技術の移動通信端末のネットワーク選択画面において、検出した全てのネットワークを表示することである。このため、ユーザがあるネットワークを選択しても、位置登録処理に失敗し、実際にはそのネットワークのサービスを利用できないことがある場合（第１図の右側の画面）、ユーザがネットワークを再選択するのに手間がかかる。
（８）複数選択の問題点は、関連技術の移動通信端末のネットワーク選択画面において、ユーザが同時に１つのネットワークしか選択することができないことである。このため、利用するサービスの品質（コンテンツ内容や課金等）に応じて異なるネットワークを選択するためには、ネットワークを再選択する手間がかかる。
（９）コンテンツスケジュールの問題点は、関連技術の移動通信端末のネットワーク選択画面において、各ネットワークの提供サービスコンテンツ（天気予報、ニュース、ファイルダウンロード等）のスケジュール情報（サービス提供日時）を表示しないことである。このため、ユーザがそれらの情報を別途調べる必要がある。また、関連技術の移動通信端末のネットワーク選択画面では、ユーザが選択したネットワークは固定される。このため、それらのサービス開始に合わせてネットワークを再選択するのに手間がかかる。
（１０）サービス開始操作の問題点は、関連技術の移動通信端末のネットワーク選択画面において、ユーザが希望するサービスを利用するために、サービスを提供するネットワークを選択する操作と、さらにサービスを開始する操作が必要であることである。特に、国際電話発信に関しては、国やネットワークによって方法が異なり、面倒である。
【発明の開示】
【０００３】
それ故、本発明の一目的は、上記の問題点を解消するべく、確実に希望のサービスを利用することができ、より低料金のサービスを選択して利用することができる移動通信システムおよび移動通信端末ならびにこれらに用いられるネットワーク選択方法を提供することにある。
ここに明記しない本発明の他の目的は、以下の説明および添付図面から明らかになるであろう。
本発明による移動通信システムの一態様は、各々サービスを提供する複数のネットワークと、前記複数のネットワークとの通信に対応した移動通信端末とを含む移動通信システムであって、前記移動通信端末は、そのネットワーク選択画面において前記複数のネットワーク各々から報知されたサービス情報に基づく前記サービスの提供情報を表示する表示手段と、前記サービスの提供情報に基づくユーザからの指示に応じて前記複数のネットワークのいずれかを選択する選択手段とを備えている。
本発明による移動通信端末の一態様は、上記の移動通信システムにおける移動通信端末であって、前記表示手段と、前記選択手段とを備えている。
本発明によるネットワーク選択方法の一態様は、各々サービスを提供する複数のネットワークと、前記複数のネットワークとの通信に対応した移動通信端末とを含む移動通信システムに用いられるネットワーク選択方法であって、前記移動通信端末が、そのネットワーク選択画面において前記複数のネットワーク各々から報知されたサービス情報に基づく前記サービスの提供情報を表示する表示処理と、前記サービスの提供情報に基づくユーザからの指示に応じて前記複数のネットワークのいずれかを選択する選択処理とを実行する。
【図面の簡単な説明】
【０００４】
第１図は、関連技術の移動通信端末のネットワーク選択画面の表示例を示す図である。
第２図は、本発明の一実施形態による移動通信ネットワークの構成例を示すブロック図である。
第３図は、第２図における移動通信端末の構成例を示すブロック図である。
第４図はそれぞれ、第２図における移動通信端末のネットワーク選択画面の表示例を示す図である。
第５図はそれぞれ、第２図における移動通信端末のネットワーク選択画面の表示例を示す図である。
第６図はそれぞれ、第２図における移動通信端末のネットワーク選択画面の表示例を示す図である。
第７図はそれぞれ、第２図における移動通信端末のネットワーク選択画面の表示例を示す図である。
第８図は、第２図における移動通信端末におけるネットワーク選択動作を示すフローチャートである。
第９図は、第２図における移動通信端末のネットワーク選択画面の表示例を示す図である。
第１０図は、第２図における移動通信端末におけるスケジュールに応じたネットワークの自動切替え動作を示すフローチャートである。
【発明を実施するための最良の形態】
【０００５】
本発明の移動通信端末においては、ネットワーク選択画面への表示内容が改善される。これにより、ユーザに提供（通知）される情報の内容と、ユーザがそれらの情報を利用してネットワークを選択する方法と、ネットワークへの接続手順とが改善される。
したがって、本明細書の背景技術の欄で述べた問題点が解決される。この結果、確実に希望のサービスを利用することができ、より低料金のサービスを選択して利用することができる。
本発明による移動通信端末は、ユーザが、各ネットワークを試すことなく、各ネットワークの利用可能なサービス（音声、テレビ電話、国際電話、ブラウザ、ストリーミング等）やサービス毎の課金情報を表示する。このため、確実に希望のサービスが利用可能であり、より低料金のサービスを選択して利用することが可能となる。
また、本発明の移動通信端末は、ユーザが、各ネットワークを試すことなく、各ネットワークのサービス可能エリアや電界情報を表示する。このため、ネットワークを選択してもわずかな移動によって圏外となったり、無線品質が悪くサービスを利用できなくなったりすることがなくなり、良品質のサービスを受けることが可能となる。
さらに、本発明の移動通信端末は、ユーザが、各ネットワークの国際電話発信方法を調べることなく、発信するように構成されている。このため、世界中のどのネットワークへ行っても容易に国際電話を利用することが可能となる。
さらにまた、本発明の移動通信端末は、ユーザが、各ネットワークを試すことなく、各ネットワークに位置登録が可能かどうかを表示する。このため、ネットワークを選択しても位置登録に失敗して再度別のネットワークを選択し直すという手間がなくなる。
さらに、本発明の移動通信端末は、ユーザに対して利用するサービス（音声、テレビ電話、国際電話、ブラウザ、ストリーミング等）毎に異なるネットワークを選択することを可能としている。このため、ネットワークに依存しないより良いサービス（コンテンツ品質や課金）を効率よく利用することが可能となる。
また、本発明の移動通信端末は、ユーザに対して事前に、各ネットワークが提供するサービスコンテンツ（天気予報、ニュース、ファイルダウンロード等）の内容とスケジュール情報（サービス配信日時）とを表示可能としていると共に、受信スケジュールを設定することで異なるネットワークを自動的に切替えて選択することを可能としている。このため、ネットワークに依存せずに希望するサービスコンテンツを効率よく利用することが可能となる。
さらに、本発明の移動通信端末は、ユーザに対して、各ネットワークの利用可能なサービス（音声、テレビ電話、国際電話、ブラウザ、ストリーミング等）やサービスコンテンツ（天気予報、ニュース、ファイルダウンロード等）を表示可能としている。このため、そのサービスやコンテンツを選択することにより、余計なメニュー操作等なしに、そのサービスやコンテンツを利用することが可能となる。即ち、本発明の移動通信端末では、ネットワークを選択してから利用可能なサービスを探すのではなく、ネットワークに依存せずに利用したいサービスを探して利用することが可能となる。
次に、図面を参照して、本発明の一実施形態について、詳細に説明する。
第２図は、本発明の一実施形態による移動通信ネットワークの構成例を示すブロック図である。第２図において、本移動通信ネットワークは、移動通信端末１と、複数のネットワーク（Ａ〜Ｃ）１０１〜１０３各々に接続されたサーバ（Ａ〜Ｃ）２−１〜２−３とから構成されている。
移動通信端末１は、複数のネットワーク（Ａ〜Ｃ）１０１〜１０３各々と、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）やＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）等の無線接続技術（Ｒａｄｉｏ  Ａｃｃｅｓｓ  Ｔｅｃｈｎｏｌｏｇｙ）にて接続可能となっている。
また、移動通信端末１は、複数のネットワーク（Ａ〜Ｃ）１０１〜１０３各々から報知されるネットワーク情報を受取ると、それらの情報をネットワーク選択画面に表示するように構成されている。尚、複数のネットワーク（Ａ〜Ｃ）１０１〜１０３各々が無線接続技術の複数の種別に対応している場合には、同一の名称で、異なる無線接続技術の種別が表示されることとなる。
サーバ（Ａ〜Ｃ）２−１〜２−３各々は、それぞれ接続されたネットワーク（Ａ〜Ｃ）１０１〜１０３を通して、上記のネットワーク情報や各種コンテンツ等を移動通信端末１に提供することができる。尚、複数のネットワーク（Ａ〜Ｃ）１０１〜１０３各々は、移動通信端末１に対して各種サービス（音声通話、テレビ電話、国際電話、ブラウザ、ストリーミング等）を提供する。
第３図は、第２図における移動通信端末１の構成例を示すブロック図である。第３図において、移動通信端末１はアンテナ１１と、無線部１２と、受信部１３と、送信部１４と、制御部１５と、メモリ部１６と、入力部１７と、表示部１８と、マイクおよびスピーカ部１９と、カメラ部２０と、外部Ｉ／Ｆ（インタフェース）部２１とから構成されている。
アンテナ１１は、無線接続技術の複数の種別（ＵＭＴＳ，ＧＳＭ等）やＧＰＳ（Ｇｌｏｂａｌ  Ｐｏｓｉｔｉｏｎｉｎｇ  Ｓｙｓｔｅｍ）等のいずれにも対応するアンテナである。無線部１２、受信部１３、送信部１４もそれぞれ、無線接続技術の複数の種別（ＵＭＴＳ，ＧＳＭ等）やＧＰＳ等に対応している。
制御部１５は、移動通信端末１内の各機能ブロックの制御を行う。メモリ部１６は、移動通信端末１の制御プログラム（制御部１５が実行するプログラム）、各種設定データ、ダウンロードしたコンテンツやネットワーク情報等を記憶するメモリである。本実施形態では、メモリ部１６に対して、ネットワーク情報、サービス情報、コンテンツ、およびその配信スケジュール情報等を記憶している。
入力部１７は、移動通信端末１のユーザが通信開始や終了、各種設定等を行うためのキーパッドや、入力ステック等の入力機器である。本実施形態では、入力部１７を通して、ネットワーク情報、サービス情報、コンテンツおよびその配信スケジュール情報等の選択が行われる。
表示部１８は、移動通信端末１のユーザに通信や各種設定の状態、カメラ部２０からの画像、コンテンツの映像等を見せるための表示手段である。本実施形態では、表示部１８に、ネットワーク情報、サービス情報、コンテンツおよびその配信スケジュール情報等の表示が行われる。
マイクおよびスピーカ部１９は、音声通信、テレビ電話の音声入力および音声出力、コンテンツの音声再生等を行うための入出力機器である。カメラ部２０は、テレビ電話における映像の入力機器およびカメラ機器として使用する撮像素子である。外部Ｉ／Ｆ部２１は、ＵＳＢ（Ｕｎｉｖｅｒｓａｌ  Ｓｅｒｉａｌ  Ｂｕｓ）やメモリカード等のためのインタフェースである。
第４図〜第７図ならびに第９図は、第３図に示された移動通信端末１のネットワーク選択画面の表示例を示す図である。第８図は、第３図に示された移動通信端末１におけるネットワーク選択動作を示すフローチャートである。第１０図は、本発明の一実施形態による移動通信端末１におけるスケジュールに応じたネットワークの自動切替え動作を示すフローチャートである。これら第２図〜第１０図を参照して、本発明の一実施形態による移動通信端末１の動作について説明する。尚、第８図および第１０図に示す処理は、制御部１５がメモリ部１６の制御プログラムを実行することで実現される。
第４図において、左側の画面は、移動通信端末１がネットワーク（Ａ〜Ｃ）１０１〜１０３から報知されるネットワーク情報から検出したネットワークの選択肢を一覧表示する画面である。一方、右側の画面は、ユーザがネットワークオペレータＡ（ＵＭＴＳ）を選択した場合に遷移する画面である。
ここで、左側の画面においては、ネットワークオペレータＡ（ＵＭＴＳ）、ネットワークオペレータＢ（ＵＭＴＳ）、ネットワークオペレータＡ（ＧＳＭ）、ネットワークオペレータＣ（ＧＳＭ）、ネットワークオペレータＤ（ＵＭＴＳ）が一覧表示されている。ただし、ネットワークＤについては第２図への図示を省略している。
また、右側の画面においては、入力部１７を介してユーザによって［決定］が押されると、ネットワークオペレーターＡ（ＵＭＴＳ）に位置登録を行われる。一方、［戻る］が押されると、左側の画面に戻る。これらの画面は、移動通信端末１の表示部１８への表示例であり、移動通信端末１のユーザへの情報通知手段（画面のサイズ等）に制限がない場合、全てのネットワークに関し、後述する全ての情報を一度に（一画面内で）ユーザへ通知してもよい。
［実施形態１］
本実施形態では、移動通信端末１のネットワーク選択画面において、各ネットワーク（Ａ〜Ｃ）１０１〜１０３から報知された提供サービス種別（音声、テレビ電話、国際電話、ブラウザ、ストリーミング等）が表示される。その情報を基に、ユーザはネットワークを選択可能である。この場合、提供サービス種別の中で移動通信端末１がサポートする（対応している）サービス種別を表示し、その情報を基にユーザがネットワークを選択可能としてもよい。
第４図に示す例の場合、ネットワークオペレータＡ（ＵＭＴＳ）では、右側の画面にサービスとして表示しているように、「音声／ＴＶ電話／ブラウザ」が利用可能である。
［実施形態２］
本実施形態では、移動通信端末１のネットワーク選択画面において、各ネットワーク（Ａ〜Ｃ）１０１〜１０３から報知されたサービス可能エリアの情報が表示される。その情報を基に、ユーザはネットワークを選択可能である。この場合、移動通信端末１の現在位置（ＧＰＳ情報等）からある規定移動距離内（例えば、半径２０ｋｍ圏内等、別途設定可能）で実際にサービス可能かどうかが表示される。その情報を基に、ユーザはネットワークを選択可能としてもよい。尚、現在位置の計算方法については本実施形態では特に触れない。
第５図には、本実施形態によるサービスエリアの表示例を示している。第５図の表示例は、ユーザの現在地が東京駅で、半径２０ｋｍ圏内に設定した場合を示している。この場合、移動通信端末１のネットワーク選択画面に実際の地図を表示し、サービスエリアを特定の色で表示する方法でもよい。
第５図では、左側の画面において、入力部１７を介してユーザによってエリアがクリックされて選択された場合、右側の画面が表示される。即ち、現在地「日本−東京駅」から「半径２０ｋｍ圏内サービス」として「東京２３区、川崎市、横浜市、・・・」が、右側の画面に表示されている。
さらに、本実施形態では、移動通信端末１のネットワーク選択画面において、各ネットワーク（Ａ〜Ｃ）１０１〜１０３の電波から測定した受信電界情報（無線通信の安定度）を表示し、その情報を基にユーザがネットワークを選択可能としている。
第４図に示す例の場合、右側の画面において、ネットワークオペレータ−Ａ（ＵＭＴＳ）では、受信電界情報として「アンテナバー１本」が表示されているおり、その受信電界が良好でないことがわかる。
［実施形態３］
本実施形態では、移動通信端末１のネットワーク選択画面において、各ネットワーク（Ａ〜Ｃ）１０１〜１０３から報知された提供サービス種別（音声、テレビ電話、国際電話、ブラウザ、ストリーミング等）毎の課金情報が表示される。その情報を基に、ユーザはネットワークを選択可能である。この場合、移動通信端末１の現在時刻からある規定時間内（例えば、２時間以内等、別途設定可能）に実際に課金される課金情報を表示し、その情報を基にユーザがネットワークを選択可能としてもよい。
第６図には、本実施形態による課金情報の表示例を示している。第６図においては、現在時刻が「２２：００」で２時間以内に設定した場合を示している。第６図では、左側の画面において、入力部１７を介してユーザによって課金がクリックされて選択された場合、右側の画面が表示される。即ち、右側の画面に、現在時刻「２２：００」から「２時間以内の課金情報」として時間帯が「２３：００」の場合、音声「￥３０」、テレビ電話「￥５０」、ブラウザ「￥１」であり、時間帯が「０：００」の場合、音声「￥２０」、テレビ電話「￥３０」、ブラウザ「￥０．１」であることが表示される。
また、本実施形態では、移動通信端末１のネットワーク選択画面において、各ネットワーク（Ａ〜Ｃ）１０１〜１０３から報知された国際電話発信方法を表示し、その情報を基にユーザが容易に国際電話を発信可能としている。第４図に示す例の場合、ネットワークオペレータＡ（ＵＭＴＳ）では、「００−国番号」で国際電話発信が可能なことがわかる。
［実施形態４］
さらに、本実施形態では、移動通信端末１のネットワーク選択画面において、各ネットワーク（Ａ〜Ｃ）１０１〜１０３から報知された利用可能な無線接続技術（ＧＳＭ、ＵＭＴＳ等）の種別情報を表示し、各々の無線接続技術の種別毎に上述した各種情報（サービス、サービスエリア、受信電界情報、課金情報、国際発信方法等）を表示し、その情報を基にユーザがネットワークと無線接続技術の種別との組み合わせを選択可能としている。この場合、ユーザがネットワークと無線接続技術の種別との組み合わせを選択する場合、無線接続技術の種別を固定するモードと、無線接続技術の種別を固定するが、無線環境の変化によっては無線接続技術の種別の変更を許可するモードとの２つから１つを選択可能としてもよい。
第７図には、本実施形態による無線接続技術の種別の表示例が示されている。第７図においては、左側の画面において、入力部１７を介してユーザによってＧＳＭがクリックされて選択された場合、右側の画面が表示される。この場合には、受信電界情報として「アンテナバー１本」が表示され、サービスとして「音声」のみが表示される。これにより、ＧＳＭでは電界良好であるものの、ＴＶ電話やブラウザを利用できないことがわかる。
本実施形態では、全てのネットワーク（Ａ〜Ｃ）１０１〜１０３と、さらに無線接続技術の種別とに対して位置登録を試みる。位置登録の試行の結果、移動通信端末１のネットワーク選択画面において、各ネットワーク（Ａ〜Ｃ）１０１〜１０３について位置登録の可否と、位置登録不可の理由（ローミング契約なし、一時的なネットワーク制限等）とが表示される。その情報を基に、ユーザはネットワークを選択可能である。
この場合、位置登録が可能なネットワークの上述した各種情報（サービス、サービスエリア、受信電界情報、課金情報、国際発信方法等）が表示されるようにし、その情報を基にユーザがネットワークを選択可能としてもよい。第４図に示す例の場合、ネットワークオペレータＡ（ＵＭＴＳ）では位置登録が「可能」なことがわかる。
［実施形態５］
さらに、本実施形態では、移動通信端末１のネットワーク選択画面において、ユーザが同時に複数のネットワーク（Ａ〜Ｃ）１０１〜１０３を選択可能としている。
この場合、ユーザは、サービス種別（音声、テレビ電話、国際電話、ブラウザ、ストリーミング等）毎に、別々のネットワークを選択可能である。この場合、ユーザがサービス種別（音声、テレビ電話、国際電話、ブラウザ、ストリーミング等）毎に別々のネットワークを選択すると、ユーザが各々のサービスを利用開始する時（音声発信等）に、そのサービス用に選択されたネットワークに自動的に位置登録およびサービス開始要求がなされる。
以下、移動通信端末１において、上記のように複数のネットワークを同時に選択する動作について第８図を参照して説明する。
まず、移動通信端末１がネットワーク（Ａ）１０１で待ち受け中（ステップＳ１）に、ネットワークサーチが実施され（ステップＳ２）、ネットワークＡ／Ｂ／Ｃが検出される（ステップＳ３）。
ここで、例えば、音声サービスのためにネットワーク（Ａ）１０１が選択され（ステップＳ４）、テレビ電話サービスのためにネットワーク（Ｂ）１０２が選択され（ステップＳ５）、ブラウザサービスのためにネットワーク（Ｃ）１０３が選択される（ステップＳ６）。
移動通信端末１は、ユーザによる発信が指示される（ステップＳ７）と、その発信のサービス種別を判定する（ステップＳ８）。
サービス種別が音声であると判定すると、移動通信端末１は、ネットワーク（Ａ）１０１で待ち受け中であるため、そのままネットワーク（Ａ）１０１に発信する（ステップＳ１２）。
サービス種別をテレビ電話と判定すると、移動通信端末１は、ネットワーク（Ａ）１０１で待ち受け中であるため、ネットワーク（Ｂ）１０２を選択し（ステップＳ９）、ネットワーク（Ｂ）１０２にて位置登録を行って（ステップＳ１１）、ネットワーク（Ｂ）１０２に発信する（ステップＳ１２）。
サービス種別をブラウザと判定すると、移動通信端末１は、ネットワーク（Ａ）１０１で待ち受け中であるため、ネットワーク（Ｃ）１０３を選択し（ステップＳ１０）、ネットワーク（Ｃ）１０３にて位置登録を行って（ステップＳ１１）、ネットワーク（Ｃ）１０３に発信する（ステップＳ１２）。
このように、本実施形態では、ユーザがサービス種別（音声、テレビ電話、国際電話、ブラウザ、ストリーミング等）毎に別々のネットワークを選択し、ユーザが各々のサービスを利用開始する時（音声発信等）に、そのサービス用に選択されたネットワークに自動的に位置登録およびサービス開始要求を行う。これにより、対応するネットワーク（Ａ〜Ｃ）１０１〜１０３への接続を容易に行うことができる。
［実施形態６］
本実施形態では、移動通信端末１のネットワーク選択画面において、ユーザがスケジュール（日時）を設定することにより、複数のネットワーク（Ａ〜Ｃ）１０１〜１０３をスケジュールにしたがって自動的に切替える。
この場合、各ネットワーク（Ａ〜Ｃ）１０１〜１０３から報知された提供サービスコンテンツ（天気予報、ニュース、ファイルダウンロード等）のスケジュール情報（サービス配信日時）がネットワーク選択画面に表示されるようにしてもよい。その情報を基に、ユーザはネットワークを選択可能である。この際、複数のネットワーク（Ａ〜Ｃ）１０１〜１０３の複数のサービスをユーザが選択することにより、自動的にスケジューリングが行われる。当該スケジュールにしたがって、複数のネットワーク（Ａ〜Ｃ）１０１〜１０３は、自動的に切替えられる。
第９図には、上記のコンテンツのスケジュール情報の表示例が示されている。第９図においては、左側の画面において、入力部１７を介してユーザによって番組表がクリックされて選択された場合、右側の画面が表示される。この場合には、「配信予定コンテンツ」として、「本日」の番組として「１９：００−１９：３０  ニュースおよび天気」、「２２：００−２３：００  スポーツ」と、「明日」の番組として「２：００−４：００  映画Ａ」、「４：００−６：００  映画Ｂ」とが表示される。
以下、移動通信端末１における、上記のようなスケジュールによるネットワークの自動切替えの動作について第１０図を参照して説明する。
まず、移動通信端末１がネットワーク（Ａ）１０１で待ち受け中（ステップＳ２１）に、ネットワークサーチが実施され（ステップＳ２２）、ネットワークＡ／Ｂ／Ｃが検出される（ステップＳ２３）。
ここで、例えば、スケジュール「１９：００−１９：３０」にはネットワーク（Ｂ）１０２が選択されるように設定され（ステップＳ２４）、スケジュール「２２：００−２３：００」にはネットワーク（Ｃ）１０３が選択されるように設定される（ステップＳ２５）。
移動通信端末１は、前工程までに設定されたスケジュール時間と、現在の時刻とを比較判定する（ステップ２６）。判定の結果、現在時刻が上記のスケジュール時間以外であれば、ステップ２６に戻り、現在の時刻の判定を繰り返して行う。
移動通信端末１は、現在時刻が上記のスケジュールの１９：００になると、ネットワーク（Ｂ）１０２を選択する（ステップＳ２７）。そして、ネットワーク（Ｂ）１０２にて位置登録を行い（ステップＳ２９）、ネットワーク（Ｂ）１０２を通してコンテンツをダウンロードする（ステップＳ３０）。この後、ネットワーク（Ａ）１０１にて位置登録を行う（ステップＳ３１）。
移動通信端末１は、現在時刻が上記のスケジュールの２２：００になると、ネットワーク（Ｃ）１０３を選択する（ステップＳ２８）。そして、ネットワーク（Ｃ）１０３にて位置登録を行い（ステップＳ２９）、ネットワーク（Ｃ）１０３を通してコンテンツをダウンロードする（ステップＳ３０）。この後、ネットワーク（Ａ）１０１にて位置登録を行う（ステップＳ３１）。
さて、以上説明した実施形態においては、移動通信端末１のネットワーク選択画面において、各ネットワーク（Ａ〜Ｃ）１０１〜１０３から報知された提供サービス種別（音声、テレビ電話、国際電話、ブラウザ、ストリーミング等）や、提供サービスコンテンツ（天気予報、ニュース、ファイルダウンロード等）を表示し、ユーザがそれらを選択する。即ち、余計なメニュー操作（国際電話発信番号等）なしに、自動的に選択されたネットワークに位置登録が行われ、選択されたサービスが開始される。このような実施形態からわかるように、本発明は、関連技術のごとくネットワークを選択してから利用可能なサービスを選択するのではなく、利用したいサービスを選択することでネットワークが決まるという技術思想上にある。
第４図に示す例の場合、［サービス：音声］の文字をクリックすると、オペレータＡ（ＵＭＴＳ）に位置登録を行い、音声発信画面へ移行する。一方、［サービス：ブラウザ］の文字をクリックすると、ブラウザを起動してトップページを取得する。
尚、各種情報、即ち、（１）サービス種別、（２）サービスエリア、（４）課金情報、（５）国際電話発信方法、（６）無線接続技術、（９）サービスコンテンツのスケジュール情報（サービス配信日時）、（１０）サービスコンテンツは、後述するように、各ネットワーク（Ａ〜Ｃ）１０１〜１０３から移動通信端末１に向けて報知信号を利用して報知される。あるいは、報知信号を利用する代わりに、例えば、各ネットワーク（Ａ〜Ｃ）１０１〜１０３が運営するウェブサイト上にこれらの情報を提供しておき、移動通信端末１がそれらの情報をダウンロードして利用することも可能である。
本実施形態では、ネットワーク（Ａ〜Ｃ）１０１〜１０３が提供するサービスが移動通信端末１のユーザに積極的にアピールされると共に、ユーザの利便性が向上させるため、より多くのユーザにそのネットワークが利用されるようになる。
本実施形態による移動通信ネットワークは、提供サービス種別（音声、テレビ電話、国際電話、ブラウザ、ストリーミング等）、サービス可能エリアの情報、提供サービス種別（音声、テレビ電話、国際電話、ブラウザ、ストリーミング等）毎の課金情報、国際電話発信方法の情報、利用可能な無線接続技術（ＧＳＭ、ＵＭＴＳ等）の種別情報、提供サービスコンテンツ（天気予報、ニュース、ファイルダウンロード等）のスケジュール情報（サービス提供日時）をそれぞれ、移動通信端末１に報知している。
このように、本実施形態では、移動通信端末１のユーザは、各ネットワーク（Ａ〜Ｃ）１０１〜１０３を選択して試さずとも、事前に各ネットワーク（Ａ〜Ｃ）１０１〜１０３の利用可能なサービス（音声、テレビ電話、国際電話、ブラウザ、ストリーミング等）や、サービス毎の課金情報を知ることができる。この結果、確実に希望のサービスを利用することができるばかりでなく、より低料金のサービスを選択して利用することができる。
また、本実施形態では、移動通信端末１のユーザは、各ネットワークを選択して試さずとも、事前に各ネットワーク（Ａ〜Ｃ）１０１〜１０３のサービス可能エリアや電界情報を知ることができる。この結果、ネットワークを選択してもわずかな移動によって圏外となったり、無線品質が悪くサービスを利用できなくなったりすることがなくなる。即ち、良品質のサービスを受けることができる。
さらに、本実施形態では、移動通信端末１のユーザが、各ネットワークの国際電話発信方法を知ることができるため、事前にその発信方法を調べておく必要がない。この結果、世界中のどのネットワークへ行っても容易に国際電話を利用することができる。
さらにまた、本実施形態では、移動通信端末１のユーザが、各ネットワーク（Ａ〜Ｃ）１０１〜１０３を選択して試さずとも、事前に各ネットワーク（Ａ〜Ｃ）１０１〜１０３に位置登録が可能かどうかを知ることができる。この結果、ネットワークを選択しても位置登録に失敗して再度別のネットワークを選択し直すという手間がなくなる。
さらに、本実施形態では、移動通信端末１のユーザが、利用するサービス（音声、テレビ電話、国際電話、ブラウザ、ストリーミング等）毎に異なるネットワークを選択することが可能である。このため、ネットワークに依存しないより良いサービス（コンテンツ品質や課金）を効率よく利用することができる。
また、本実施形態では、移動通信端末１のユーザが、事前に各ネットワーク（Ａ〜Ｃ）１０１〜１０３が提供するサービスコンテンツ（天気予報、ニュース、ファイルダウンロード等）の内容とスケジュール情報（サービス配信日時）とを知ることができると共に、受信スケジュールを設定することで、異なるネットワークを自動的に切替えて選択することが可能となる。このため、ネットワークに依存せずに希望するサービスコンテンツを効率よく利用することができる。
さらに、本実施形態では、移動通信端末１のユーザが、各ネットワーク（Ａ〜Ｃ）１０１〜１０３の利用可能なサービス（音声、テレビ電話、国際電話、ブラウザ、ストリーミング等）やサービスコンテンツ（天気予報、ニュース、ファイルダウンロード等）を知ることができ、そのサービスやコンテンツを選択することにより、余計なメニュー操作等なしにそのサービスやコンテンツを利用することができる。このため、本実施形態では、ネットワークを選択してから利用可能なサービスを探すのではなく、ネットワークに依存せずに利用したいサービスを探して利用することができる。
尚、上述した第４図〜第７図ならびに第９図に示すユーザインタフェース（画面構成やワーディング）は、一例に過ぎない。本発明は、これらに限定されるものでなく、これらを組み合わせて使用することが可能である。
以上、本発明をその好適な実施形態に基づいて説明したが、本発明による移動通信システムおよび移動通信端末ならびにこれらに用いられるネットワーク選択方法は、上記実施形態に限定されるものではなく、実施形態の構成から種々の修正および変更を施したものも、本発明の範囲に含まれる。
この出願は、２００６年７月２６日に出願された日本出願特願第２００６−２０２６５７号を基礎とする優先権を主張し、その開示のすべてをここに取り込む。
【図１】
0005472965.tif 000002
【図２】
0005472965.tif 000003
【図３】
0005472965.tif 000004
【図４】
0005472965.tif 000005
【図５】
0005472965.tif 000006
【図６】
0005472965.tif 000007
【図７】
0005472965.tif 000008
【図８】
0005472965.tif 000009
【図９】
0005472965.tif 000010
【図１０】
0005472965.tif 000011